(57)【要約】【課題】ＯＳＤ画像を表示させるとともに、表示の画質やレスポンス速度等の観点から、使い易さを向上させることが容易となる画像表示装置を提供する。【解決手段】ＯＳＤ画像を生成するＯＳＤ画像生成部を備え、前記ＯＳＤ画像と他の画像を合成させて得られる表示用画像を、表示部に表示させる画像表示装置であって、前記ＯＳＤ画像生成部は、前記ＯＳＤ画像の少なくとも一部を構成する構成要素に対して、前記他の画像とは独立して解像度を低く変更させる解像度変更処理を施すことにより、変更済み構成要素を生成し、前記変更済み構成要素に基づいて、前記ＯＳＤ画像を生成する画像表示装置とする。【選択図】図１
2014021458.tif 000002
【特許請求の範囲】
【請求項１】
ＯＳＤ画像を生成するＯＳＤ画像生成部を備え、
前記ＯＳＤ画像と他の画像を合成させて得られる表示用画像を、表示部に表示させる画像表示装置であって、
前記ＯＳＤ画像生成部は、
前記ＯＳＤ画像の少なくとも一部を構成する構成要素に対して、前記他の画像とは独立して解像度を低く変更させる解像度変更処理を施すことにより、変更済み構成要素を生成し、
前記変更済み構成要素に基づいて、前記ＯＳＤ画像を生成することを特徴とする画像表示装置。
【請求項２】
変更率情報を更新可能に設定する変更率情報設定部を有し、
前記ＯＳＤ画像生成部は、
現在設定されている前記変更率情報に応じた変更率で、前記解像度変更処理を行うことを特徴とする請求項１に記載の画像表示装置。
【請求項３】
前記変更率情報設定部は、
ユーザによる前記変更率情報の指定を受付け、
前記指定に応じて、前記変更率情報の設定を更新することを特徴とする請求項２に記載の画像表示装置。
【請求項４】
前記変更率情報設定部は、
ユーザによる前記変更率情報の仮指定を受付ける第１動作と、
前記仮指定の内容を、前記表示部に表示中のＯＳＤ画像の解像度に反映させた状態で、ユーザによる確定の指示を受付ける第２動作と、
前記確定の指示を受けたときに、前記変更率情報の設定を前記仮指定の内容に更新させる第３動作と、
の各動作を行うことを特徴とする請求項３に記載の画像表示装置。
【請求項５】
前記ＯＳＤ画像生成部は、
前記変更済み構成要素に基づいて、ＯＳＤ元画像を生成し、
前記ＯＳＤ元画像に対してスケーリング処理を施すことにより、前記ＯＳＤ画像データを生成することを特徴とする請求項１から請求項４の何れかに記載の画像表示装置。
【請求項６】
所定種のメディアから提供されるコンテンツの画像を、前記他の画像として取得することを特徴とする請求項１から請求項５の何れかに記載の画像表示装置。
【請求項７】
前記コンテンツの画像が記録されたディスクメディアを再生させる、ディスク再生装置であることを特徴とする請求項６に記載の画像表示装置。
【発明の詳細な説明】
【技術分野】
【０００１】
本発明は、ＯＳＤ画像を表示させる画像表示装置に関する。
【背景技術】
【０００２】
従来、例えばディスク再生装置やテレビ放送受信装置のように、ディスプレイに画像を表示させる装置（画像表示装置）が広く利用されている。また多くの画像表示装置には、ＯＳＤ［On Screen Display］画像を表示させる機能が備えられている。ＯＳＤ画像の用途は多岐に亘っており、一例としては、各種設定画面を表す画像、ヘルプ情報を表す画像、およびコンテンツのリストを表す画像などが挙げられる。
【０００３】
一般的にＯＳＤ画像は、ＯＳＤ画像の全体または一部を構成する構成要素（各種のフォントやアイコン等のデータ）を用いて生成される。すなわち、画像表示装置には各構成要素が格納されたメモリ（例えばＲＯＭ）が設けられる。そして画像表示装置は、このメモリ内にある必要な構成要素を用いて、ＲＡＭにＯＳＤ画像データを生成（描画）する。生成されたＯＳＤ画像はコンテンツ画像等と合成され、ディスプレイに表示されることとなる。
【先行技術文献】
【特許文献】
【０００４】
【特許文献１】特開平１１−６９２５１号公報
【発明の概要】
【発明が解決しようとする課題】
【０００５】
ここで構成要素の解像度に着目すると、ＯＳＤ画像の生成におけるＲＡＭの使用量（必要なＲＡＭの容量）や処理負担の大きさ、ならびにＯＳＤ画像の画質は、そのときに用いられる構成要素の解像度に影響される。
【０００６】
すなわち、用いられる構成要素の解像度が高いほど、ＯＳＤ画像の画質は向上する（細かくなる）。但しデータサイズが大きくなるため、ＯＳＤ画像の生成処理におけるＲＡＭの使用量（必要なＲＡＭの容量）は大きくなり、またその際の処理負担が増えるため、表示等のレスポンスは遅くなる。
【０００７】
一方、用いられる構成要素の解像度が低いほど、ＯＳＤ画像の画質は低下する（粗くなる）。但しデータサイズが小さくなるため、ＯＳＤ画像の生成処理におけるＲＡＭの使用量は小さくなり、またその際の処理負担が減るため、表示等のレスポンスは速くなる。
【０００８】
なお近年の多くの画像表示装置は多機能となっており、ＲＡＭの使用量が増えてきている。そのため、画像データ等をＲＡＭからクリアすることにより、ＲＡＭの使用量を抑えるようにする場合がある。しかしこの場合には、ＲＡＭを解放するための時間が必要になるとともに、再度画像データを読むときに当該データを再度展開する時間が必要となるため、描画の遅延を招く虞がある。この点、構成要素の解像度が低い場合には、上述したようにＲＡＭの使用量は小さくなるため、描画の遅延を回避することが比較的容易となる。
【０００９】
上述した通り構成要素の解像度は、表示の画質やレスポンス速度等に影響を及ぼすことから、例えばユーザの好みに応じて調節されることが望まれる。このようになっていれば、表示の画質やレスポンス速度等のバランスを適正化し、画像表示装置の使い易さを向上させることが可能となる。
【００１０】
なお、例えば画素数の異なる各種ディスプレイに対応するために、画像全体の解像度を調節する画像表示装置によれば、形式的にはＯＳＤ画像の解像度も変更されると言える。しかしこの場合、ＯＳＤ画像の解像度の変更は、コンテンツ画像等の解像度の変更と連動したものに過ぎず、上述した観点で表示装置の使い易さを向上させるものとは言えない。
【００１１】
本発明は上述した問題に鑑み、ＯＳＤ画像を表示させるとともに、表示の画質やレスポンス速度等の観点から、使い易さを向上させることが容易となる画像表示装置の提供を目的とする。
【課題を解決するための手段】
【００１２】
本発明に係る画像表示装置は、ＯＳＤ画像を生成するＯＳＤ画像生成部を備え、前記ＯＳＤ画像と他の画像を合成させて得られる表示用画像を、表示部に表示させる画像表示装置であって、前記ＯＳＤ画像生成部は、前記ＯＳＤ画像の少なくとも一部を構成する構成要素に対して、前記他の画像とは独立して解像度を低く変更させる解像度変更処理を施すことにより、変更済み構成要素を生成し、前記変更済み構成要素に基づいて、前記ＯＳＤ画像を生成する構成とする。
【００１３】
本構成によれば、ＯＳＤ画像を表示させるとともに、表示の画質やレスポンス速度等の観点から、使い易さを向上させることが容易となる。
【００１４】
また上記構成としてより具体的には、変更率情報を更新可能に設定する変更率情報設定部を有し、前記ＯＳＤ画像生成部は、現在設定されている前記変更率情報に応じた変更率で、前記解像度変更処理を行う構成としてもよい。なお「変更率情報」は、解像度変更処理における解像度の変更率を決める情報であり、その具体的形態は特に限定されない。
【００１５】
また上記構成において、前記変更率情報設定部は、ユーザによる前記変更率情報の指定を受付け、前記指定に応じて、前記変更率情報の設定を更新する構成としてもよい。本構成によれば、ユーザは変更率情報を調節することが可能となる。
【００１６】
また上記構成において、前記変更率情報設定部は、ユーザによる前記変更率情報の仮指定を受付ける第１動作と、前記仮指定の内容を、前記表示部に表示中のＯＳＤ画像の解像度に反映させた状態で、ユーザによる確定の指示を受付ける第２動作と、前記確定の指示を受けたときに、前記変更率情報の設定を前記仮指定の内容に更新させる第３動作と、の各動作を行う構成としてもよい。本構成によれば、ユーザは、自分の好みに合わせた変更率情報の調節を容易に行うことが可能となる。
【００１７】
また上記構成としてより具体的には、前記ＯＳＤ画像生成部は、前記変更済み構成要素に基づいて、ＯＳＤ元画像を生成し、前記ＯＳＤ元画像に対してスケーリング処理を施すことにより、前記ＯＳＤ画像データを生成する構成としてもよい。
【００１８】
また上記構成としてより具体的には、所定種のメディアから提供されるコンテンツの画像を、前記他の画像として取得する構成としてもよい。また更に上記構成としてより具体的には、前記コンテンツの画像が記録されたディスクメディアを再生させる、ディスク再生装置である構成としてもよい。
【発明の効果】
【００１９】
本発明に係る画像表示装置によれば、ＯＳＤ画像を表示させるとともに、表示の画質やレスポンス速度等の観点から、使い易さを向上させることが容易となる。
【図面の簡単な説明】
【００２０】
【図１】本実施形態に係るディスク再生装置のブロック図である。
【図２】解像度の変更に関する説明図である。
【図３】調節補助動作についてのフローチャートである。
【図４】調節補助動作に関する具体的事例についての説明図である。
【図５】調節補助動作に関する具体的事例についての説明図である。
【図６】調節補助動作に関する具体的事例についての説明図である。
【発明を実施するための形態】
【００２１】
本発明の実施形態について、ディスク再生装置（画像表示装置の一形態）を例に挙げ、各図面を参照しながら以下に説明する。
【００２２】
［ディスク再生装置の構成および動作概略］
図１は、本実施形態に係るディスク再生装置１のブロック図である。本図に示すようにディスク再生装置１は、光ピックアップ部１１、信号処理部１２、スピーカ１３、画像合成部１４、ディスプレイ１５、制御部１６、操作部１７、およびＯＳＤ画像生成部１８などを備えている。
【００２３】
光ピックアップ部１１は、レーザダイオードや各種の光学部品等により構成されている。光ピックアップ部１１は、コンテンツの音声および画像が記録されている光ディスク（ディスクメディア）の情報記録面にレーザ光を当て、その反射光に応じた電気信号を信号処理部１２に送出する。これにより、光ディスクからの情報読取が実現される。
【００２４】
信号処理部１２は、光ピックアップ部２から伝送された電気信号に各種の処理（復調処理など）を施し、コンテンツの音声（コンテンツ音声）および画像（コンテンツ画像）の信号を生成する。コンテンツ音声の信号はスピーカ１３に送出され、コンテンツ画像の信号は画像合成部１４に送出される。
【００２５】
スピーカ１３は、受け取ったコンテンツ音声の信号に基づいて音声を発生させる。なおディスク再生装置１は、スピーカ１３を有する代わりに、コンテンツ音声の信号を外部のスピーカ装置へ出力するようになっていても良い。この場合、スピーカ１３の代わりに、外部のスピーカ装置が音声を発生させることになる。
【００２６】
画像合成部１４は、信号処理部１２からコンテンツ画像の信号が入力され、ＯＳＤ画像生成部１８からＯＳＤ画像Ｐ´（詳しくは後述する）の信号が入力される。画像合成部１４は、入力されたこれらの画像を合成させることにより表示用画像を生成し、ディスプレイ１５に送出する。
【００２７】
なお当該合成の形態は、ＯＳＤ画像Ｐ´がコンテンツ画像の表側に重なるように配置される形態（コンテンツ画像のＯＳＤ画像Ｐ´が重なった部分は、現れなくなる）であっても良く、その他の形態であっても良い。また当該合成の形態は、ＯＳＤ画像Ｐ´とコンテンツ画像を併存させる形態（１フレーム内に、両方の画像が現れる）であっても良く、ＯＳＤ画像Ｐ´が全領域に現れる（コンテンツ画像はＯＳＤ画像Ｐ´の裏側に隠れる）ようにする形態であっても良い。また画像合成部１４は、コンテンツ画像およびＯＳＤ画像Ｐ´の何れか一方しか入力されていないときには、入力されている画像をそのまま表示用画像とする。
【００２８】
ディスプレイ１５は、画像合成部１４から受け取る信号に基づいて、表示用画像を表示させる。なおディスク再生装置１は、ディスプレイ１５を有する代わりに、表示用画像の信号を外部のディスプレイ装置へ出力するようになっていても良い。この場合、ディスプレイ１５の代わりに、外部のディスプレイ装置が表示用画像を表示させることになる。
【００２９】
制御部１６は、ディスク再生装置１がその機能を発揮するように、ディスク再生装置１の各部を適切に制御する。操作部１７は、各種の操作スイッチ等を有しており、ユーザによる各種の操作指示を受け付ける。ユーザによる操作指示は制御部１６へ伝えられ、ディスク再生装置１の動作に反映される。
【００３０】
ＯＳＤ画像生成部１８は、ディスプレイ１５に何らかのＯＳＤ画像を表示させるべきときに、そのＯＳＤ画像（以下、便宜的に「対象ＯＳＤ画像」と称する）を生成する機能を有する。ＯＳＤ画像生成部１８は、ＲＯＭ２１、解像度変更部２２、描画部２３、およびスケーラ２４を備えている。
【００３１】
ＲＯＭ２１は、各種ＯＳＤ画像についての構成要素Ｅを格納している。構成要素Ｅは、ＯＳＤ画像の全部または一部を構成するものであり、各種のフォントやアイコン等のデータ（例えば、ＰＮＧ形式やＪＰＥＧ形式のデータ）である。
【００３２】
解像度変更部２２は、変更係数設定部２２ａおよび展開用ＲＡＭ２２ｂを備えており、構成要素Ｅの解像度を低く変更させる解像度変更処理を行う。なお解像度変更処理は、コンテンツ画像とは独立して解像度を変更させる処理である。そのため、解像度変更処理により構成要素Ｅの解像度が変更されても、コンテンツ画像の解像度はこの影響を受けない。
【００３３】
変更係数設定部２２ａは、構成要素Ｅの解像度を変更する際の変更率を決める変更係数α（変更率情報）を、更新可能に設定する。なお変更係数αは、基本的には１より低い値に設定されるが、状況に応じて１（解像度が変更されない）に設定可能であっても構わない。以下の説明では、変更係数αは１より低い値に設定されるものとする。
【００３４】
解像度変更部２２は、対象ＯＳＤ画像の構成に必要な構成要素ＥをＲＯＭ２１から読出して、その解像度を現在の変更係数αに応じた変更率で変更させるように、解像度変更処理を行う。すなわち変更後の解像度が、α×Ｒ１（但し、Ｒ１は変更前の解像度）となるように、解像度変更処理が行われる。なお当該変更は解像度を低くする方向の変更であるため、元の構成要素Ｅに基づいて実現可能である。
【００３５】
図２は、変更係数αが１／４であるときに、「Ａ」を表すフォントの一種（構成要素Ｅの一つ）の解像度が変更される例を示している。この例では、「３６×３６」の解像度（当該フォントを構成する画素の数と見ることもできる）が、「１８×１８」の解像度に変更されている。
【００３６】
解像度を変更させた後の構成要素Ｅである変更済み構成要素Ｅ´は、展開用ＲＡＭ２２ｂに展開された後、描画部２３に送出される。なお変更済み構成要素Ｅ´は、構成要素Ｅに比べて解像度が低いため、その分だけデータサイズが小さくなっている。
【００３７】
描画部２３は、変更済み構成要素Ｅ´を用いて、対象ＯＳＤ画像についてのＯＳＤ元画像Ｐを生成（描画）する。なお描画部２３は、描画用ＲＡＭ２３ａを備えている。ＯＳＤ元画像Ｐは、描画用ＲＡＭ２３ａに描画された後、スケーラ２４に送出される。
【００３８】
なおＯＳＤ元画像Ｐは、変更済み構成要素Ｅ´を用いて生成されるため、構成要素Ｅを用いて生成される場合のＯＳＤ画像に比べて、解像度が低い。従ってＯＳＤ元画像Ｐは、その分だけ、データサイズが小さくなっている。
【００３９】
スケーラ２４は、ＯＳＤ元画像Ｐに対して、必要なスケーリング処理（画像の拡大または縮小）や座標設定などを実行し、ＯＳＤ画像Ｐ´（対象ＯＳＤ画像）を生成する。既に説明した通り、ＯＳＤ画像Ｐ´はコンテンツ画像と合成されて表示用画像となり、ディスプレイ１５に表示される。
【００４０】
ディスク再生装置１は、上述した通りの構成となっており、コンテンツの画像や音声が記録された光ディスクを再生させる機能を有する。つまりディスク再生装置１は、コンテンツ音声をスピーカ１３から出力させ、表示用画像をディスプレイ１５に表示させるように動作する。特にＯＳＤ画像が生成されているときには、このＯＳＤ画像を含む表示用画像がディスプレイ１５に表示される。
【００４１】
なお上述の説明では便宜上、ディスク再生装置１の各部を分けて説明したが、実際の構成形態は必ずしもこのように分かれている必要はない。例えば、制御部１６と変更係数設定部２２ａは単一のＣＰＵによって実現されていても良く、展開用ＲＡＭ２２ｂと描画用ＲＡＭ２３ａは単一のＲＡＭによって実現されていても良い。
【００４２】
また、例えば構成要素ＥがＯＳＤ画像の全部を構成するものである場合、構成要素Ｅの解像度を変更させた段階でＯＳＤ元画像Ｐが得られる。換言すれば、変更済み構成要素Ｅ´が、そのままＯＳＤ元画像Ｐとなる。このような場合には、描画部２３は、入力される変更済み構成要素Ｅ´を、そのままＯＳＤ元画像Ｐとして出力しても良い。
【００４３】
［変更係数αの調節について］
ここでＯＳＤ画像を含む表示用画像の表示については、変更係数αの設定値が高いほど、その分、ＯＳＤ画像の部分の画質は向上する（細かくなる）。但し変更係数αの設定値が高いほど、その分、ＯＳＤ元画像Ｐなどのデータサイズが大きくなる。そのため、ＯＳＤ画像の生成処理における描画用ＲＡＭ２３ａ等の使用量は大きくなり、またその際の処理負担が増える（描画に要する時間が増える）ため、表示用画像の表示等のレスポンスは遅くなる。
【００４４】
一方、変更係数αの設定値が低いほど、その分、ＯＳＤ元画像Ｐなどのデータサイズが小さくなる。そのため、ＯＳＤ画像の生成処理における描画用ＲＡＭ２３ａ等の使用量は小さくなり、またその際の処理負担が減る（描画に要する時間が減る）ため、表示用画像の表示等のレスポンスは速くなる。但し変更係数αの設定値が低いほど、その分、ＯＳＤ画像の部分の画質は低下する（粗くなる）。
【００４５】
このように変更係数αは、表示の画質やレスポンス速度等に影響を及ぼすものであるため、例えばユーザの好みに応じて調節されることが望まれる。このようになっていれば、表示の画質やレスポンス速度等のバランスを適正化し、ディスク再生装置１の使い易さを向上させることが可能となる。
【００４６】
すなわち、ユーザがレスポンス速度よりも画質を重視する場合、変更係数αが比較的高い値に調節されれば、ディスク再生装置１の使い易さが向上すると考えられる。一方、ユーザがレスポンス速度よりも画質を重視する場合、変更係数αが比較的低い値に調節されれば、ディスク再生装置１の使い易さが向上すると考えられる。
【００４７】
そこで変更係数設定部２２ａは、ユーザによる変更係数αの調節を補助する動作として、調節補助動作を行う機能を有している。変更係数設定部２２ａは、何らかのＯＳＤ画像が表示されている（表示用画像にＯＳＤ画像が含まれている）状況等において、例えばユーザによる調節補助動作の実行指示があったときに、調節補助動作を実行する。
【００４８】
次に調節補助動作の具体的な内容について、図３に示すフローチャートを参照しながら以下に説明する。
【００４９】
変更係数設定部２２ａは、まず、ＯＳＤ解像度設定画面をディスプレイ１５に表示させる（ステップＳ１１）。ＯＳＤ解像度設定画面は、複数種の変更係数αのうちの何れかの選択（仮指定に相当する）を受付けるための画面である。なおＯＳＤ解像度設定画面はＯＳＤ画像の一種であるため、ＯＳＤ画像生成部１８によって生成された上で、表示用画像に含められる。
【００５０】
ＯＳＤ解像度設定画面が表示されている状況では、ユーザはディスプレイ１５を見ながら操作部１７を用いて、何れかの変更係数αを操作選択することが可能である。変更係数設定部２２ａは、このような状態において、ユーザによる操作選択を待機する（ステップＳ１２）。そして何れかの変更係数αが選択された場合には（ステップＳ１２のＹ）、選択された変更係数αを現在表示中のＯＳＤ画像の解像度に反映させる（ステップＳ１３）。
【００５１】
なお、選択された変更係数αを表示中のＯＳＤ画像の解像度に反映させる形態としては、変更係数αの設定内容が一時的に（後述するステップＳ１４の判断が行われるまで）選択された内容に置換される形態であっても良く、その他の形態であっても良い。また選択された変更係数αは、調節補助動作の開始前から表示されているＯＳＤ画像だけに反映され、ＯＳＤ解像度設定画面には反映されないようにしても良い。
【００５２】
そして変更係数設定部２２ａは、選択された変更係数α（仮指定の内容）を表示中のＯＳＤ画像の解像度に反映させた状態で、ユーザによる「確定」または「取消」の操作指示を受付ける（ステップＳ１４）。また変更係数設定部２２ａは、「確定」の操作指示を受けたときには（ステップＳ１４の「確定」）、変更係数αの設定内容を選択された内容（仮指定の内容）に更新し（ステップＳ１５）、調節補助動作を終了させる。つまりこの場合には、選択された変更係数αがユーザによって正式に指定されたとみなされ、変更係数設定部２２ａはこの指定に応じて、変更係数αの設定を更新する。
【００５３】
一方、「取消」の操作指示を受けたときには（ステップＳ１４の「取消」）、変更係数設定部２２ａは、再度ステップＳ１２の動作を実行する。なおこの際、変更係数αの設定内容は選択された内容に更新されず、元の状態のままに維持される。
【００５４】
またステップＳ１２の動作時において、何れの変更係数αも選択されなかった場合（例えば、調節補助動作を終了させる指示がなされた場合）には（ステップＳ１２のＮ）、変更係数設定部２２ａは調節補助動作を終了させる。
【００５５】
以上に説明した調節補助動作によれば、ユーザは、自分の好みに合わせた変更係数αの調節を、容易に行うことが出来る。また、変更係数αの調節はコンテンツ画像の解像度に影響しないため、ユーザは、コンテンツ画像の画質等の変動を気にすることなく、変更係数αを調節することが出来る。
【００５６】
［調節補助動作に関する具体的事例］
次に、調節補助動作をより理解容易とするため、調節補助動作が行われる具体的な事例を挙げ、これについて以下に説明する。
【００５７】
なお本事例では図４に示すように、リスト画面Ｄ１（光ディスクに記録されているコンテンツのリスト画面であり、ＯＳＤ画像の一種）が、予めディスプレイ１５に表示されているとする。ユーザは、例えば、リスト画面Ｄ１を見て画質或いはレスポンス速度を変更したいと思ったときに、ディスク再生装置１へ調節補助動作の実行指示を与える。
【００５８】
このようにして調節補助動作の実行指示が与えられると、変更係数設定部２２ａは、図５に示すように、ＯＳＤ解像度設定画面Ｄ２をディスプレイ１５に表示させる（ステップＳ１１）。このときのＯＳＤ解像度設定画面Ｄ２は、「高」、「普通」、「低」、および「戻る」の選択肢を示しており、ユーザはこれらの選択肢の何れかを択一的に選択することが可能である。
【００５９】
「高」、「普通」、および「低」は、それぞれ異なる変更係数αを表す選択肢であり、「高」が最も高いに設定されており、「低」が最も低い値に設定されている。なお「戻る」は、調節補助動作の終了指示を表す選択肢である。「戻る」が選択された場合には（ステップＳ１２のＮ）、調節補助動作は終了される。
【００６０】
ユーザは、「高」、「普通」、および「低」の各選択肢が表す変更係数αの何れかを、選択することが可能である。ユーザは、例えば、画質を重視する場合には「高」の選択肢を選択し、レスポンス速度を重視する場合には「低」の選択肢を選択する。本事例では、「高」の選択肢が選択されるとする。
【００６１】
「高」の選択肢が選択されると（ステップＳ１２のＹ）、「高」の変更係数αが、表示中のリスト画面Ｄ１やＯＳＤ解像度設定画面Ｄ２の解像度に反映される（ステップＳ１３）。またこのときＯＳＤ解像度設定画面Ｄ２は、図６に示すように「確定」と「取消」の選択肢を表す画面に切り替わり、ユーザによる「確定」または「取消」の操作指示を受付ける状態となる（ステップＳ１４）。
【００６２】
これによりユーザは、変更係数αの設定が「高」の内容へ切替わったと仮定した場合に、表示用画像（特にＯＳＤ画像の部分）がどのように見えるかを、ディスプレイ１５で事前に確認することができる。また確認した上でユーザは、その画質等に納得した場合には「確定」を選択し、そうでない場合には「取消」を選択することができる。
【００６３】
「確定」が選択されると（ステップＳ１４の「確定」）、変更係数αの設定は「高」の内容へ切替わり（ステップＳ１５）、以降は「高」の変更係数αに基づいてＯＳＤ画像が生成されることになる。一方で「取消」が選択されると（ステップＳ１４の「取消」）、ディスプレイ１５の表示は図５に示す状態に戻るため（ステップＳ１２）、ユーザは、別の選択肢を選択することが可能となる。
【００６４】
［その他］
以上に説明した通り、ディスク再生装置１は、ＯＳＤ画像Ｐ´を生成するＯＳＤ画像生成部１８を備え、ＯＳＤ画像Ｐ´とコンテンツ画像（他の画像）を合成させて得られる表示用画像を、ディスプレイ１５（表示部の一形態）に表示させる。またＯＳＤ画像生成部１８は、ＯＳＤ画像Ｐ´の少なくとも一部を構成する構成要素Ｅに対して、コンテンツ画像とは独立して解像度を低く変更させる解像度変更処理を施すことにより、変更済み構成要素Ｅ´を生成する。
【００６５】
またＯＳＤ画像生成部１８は、変更済み構成要素Ｅ´に基づいて、ＯＳＤ画像Ｐ´を生成する。そのためディスク再生装置１によれば、ＯＳＤ画像を表示させるとともに、表示の画質やレスポンス速度等の観点から、使い易さを向上させることが容易である。
【００６６】
またディスク再生装置１は、構成要素Ｅの解像度だけでなく、表示の画質或いはレスポンス速度等に影響を与える各種の要素が変更可能となっていても良い。例えば、ディスク再生装置１が動きのあるＯＳＤ画像（アニメーション画像）を取り扱う場合、その動き（アニメーション機能）のＯＮ／ＯＦＦが変更可能となっていても良い。
【００６７】
なおアニメーション機能をＯＮにすると、通常は表示内容の趣やバリエーションは増すが、ＯＦＦの場合に比べて処理負担が増えるため、レスポンスは遅くなり易い。逆にアニメーション機能をＯＦＦにすると、表示内容に本来の動きは得られないが、ＯＮの場合に比べて処理負担は減るため、レスポンスは速くなり易い。ユーザがアニメーション機能のＯＮ／ＯＦＦを自在に操作更新できるようになっていれば、使い易さの更なる向上が期待される。
【００６８】
なお本実施形態では画像表示装置の一例としてディスク再生装置を挙げたが、本発明に係る画像表示装置の種類はこれに限られない。本発明はその他にも、テレビ放送受信装置（テレビ放送を通じて提供されるコンテンツの画像を表示する装置）など、様々な画像表示装置に適用可能である。
【００６９】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、ＯＳＤ画像を表示させる各種表示装置に利用することが可能である。
【符号の説明】
【００７０】
１        ディスク再生装置（画像表示装置）
１１      光ピックアップ部
１２      信号処理部
１３      スピーカ
１４      画像合成部
１５      ディスプレイ（表示部）
１６      制御部
１７      操作部
１８      ＯＳＤ画像生成部
２１      ＲＯＭ
２２      解像度変更部
２２ａ    変更係数設定部（変更率情報設定部）
２２ｂ    展開用ＲＡＭ
２３      描画部
２３ａ    描画用ＲＡＭ
２４      スケーラ
Ｄ１      リスト画面
Ｄ２      ＯＳＤ解像度設定画面
【図１】
2014021458.tif 000003
【図２】
2014021458.tif 000004
【図３】
2014021458.tif 000005
【図４】
2014021458.tif 000006
【図５】
2014021458.tif 000007
【図６】
2014021458.tif 000008